(57)【要約】【課題】投写画像の視認が困難な場合にも、レンズ調整状況を認識しやすいプロジェクターを提供する。【解決手段】プロジェクター１は、光源（光源装置１１）と、光源から射出された光を、画像情報に応じて画像光に変調する光変調装置（液晶ライトバルブ１２Ｒ，１２Ｇ，１２Ｂ）と、光変調装置で変調された画像光を投写する投写レンズ１３と、プロジェクター１の本体に備わる表示部２８と、投写レンズ１３に対して複数の調整を行う複数のレンズ調整機構（フォーカス調整機構１３１、ズーム調整機構１３２、レンズシフト調整機構１３３）と、複数のレンズ調整機構のうちの１つを選択させる選択部（フォーカス調整開始キーＢ３、ズーム調整開始キーＢ４、およびレンズシフト調整開始キーＢ５）と、選択部によって選択されたレンズ調整機構の情報を表示部２８に表示させる制御部２０と、を備える。【選択図】図２
2015158619.tif 000002
【特許請求の範囲】
【請求項１】
プロジェクターであって、
光源と、
前記光源から射出された光を、画像情報に応じて画像光に変調する光変調装置と、
前記光変調装置で変調された前記画像光を投写する投写レンズと、
前記プロジェクターの本体に備わる表示部と、
前記投写レンズに対して複数の調整を行う複数のレンズ調整機構と、
前記複数のレンズ調整機構のうちの１つを選択させる選択部と、
前記選択部によって選択された前記レンズ調整機構の情報を前記表示部に表示させる制御部と、
を備えることを特徴とするプロジェクター。
【請求項２】
請求項１に記載のプロジェクターであって、
前記レンズ調整機構は、
焦点調整のためのフォーカス調整機構、または、投写画角を調整するズーム調整機構、または、前記投写レンズを移動させることによって画像の投写位置を調整するレンズシフト調整機構のうちの少なくとも１つを含むことを特徴とするプロジェクター。
【請求項３】
請求項１または２に記載のプロジェクターであって、
前記表示部に表示させる前記レンズ調整機構の情報は、前記レンズ調整機構の種別の情報であることを特徴とするプロジェクター。
【請求項４】
請求項１乃至３のいずれか一項に記載のプロジェクターであって、
前記表示部に表示させる前記レンズ調整機構の情報は、前記レンズ調整機構の調整量の情報であることを特徴とするプロジェクター。
【請求項５】
光源と、前記光源から射出された光を、画像情報に応じて画像光に変調する光変調装置と、前記光変調装置で変調された前記画像光を投写する投写レンズと、前記投写レンズに対して複数の調整を行う複数のレンズ調整機構と、を備えるプロジェクターの制御方法であって、
前記プロジェクターは、前記プロジェクターの本体に備わる表示部を備え、
前記複数のレンズ調整機構のうちの１つを選択させる選択ステップと、
前記選択ステップによって選択された前記レンズ調整機構の情報を前記表示部に表示させる制御ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、画像を投写するプロジェクターにおいて、フォーカス、ズーム、レンズシフト等のレンズ調整機構が搭載されているものがあった。特許文献１には、フォーカス調整モードのときには、フォーカス調整モードであることを示す文字および色を含む画像を映像として投写し、ズーム調整モードのときには、ズーム調整モードであることを示す文字および色を含む画像を映像として投写し、レンズシフト調整モードのときには、レンズシフト調整モードであることを示す文字および色を含む画像を映像として投写する投射型映像表示装置（プロジェクター）が開示されている。
【先行技術文献】
【特許文献】
【０００３】
【特許文献１】特開２０１０−８５７０７号公報
【発明の概要】
【発明が解決しようとする課題】
【０００４】
しかしながら、特許文献１に記載の投写型映像表示装置では、投写画像のフォーカスがある程度合っていない場合、画像の文字を視認することは困難であった。また、画像に含まれる調整モードを示す色についても、ユーザーは予め憶えていなければならなかった。このため、投写されている画像の視認が困難な場合には、調整状況が分かりにくいという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、プロジェクターであって、光源と、前記光源から射出された光を、画像情報に応じて画像光に変調する光変調装置と、前記光変調装置で変調された前記画像光を投写する投写レンズと、前記プロジェクターの本体に備わる表示部と、前記投写レンズに対して複数の調整を行う複数のレンズ調整機構と、前記複数のレンズ調整機構のうちの１つを選択させる選択部と、前記選択部によって選択された前記レンズ調整機構の情報を前記表示部に表示させる制御部と、を備えることを特徴とする。
【０００７】
このようなプロジェクターによれば、光源から射出された光を変調して投写する投写レンズの他に、プロジェクターの本体に表示部を備える。複数のレンズ調整機構は、投写レンズに対して複数の調整を行う。選択部は、複数のレンズ調整機構のうちの１つを選択させ、制御部は、選択されたレンズ調整機構の情報を表示部に表示させる。これにより、投写されている画像の視認が困難な場合でも、表示部にレンズ調整機構の情報が表示されるため、ユーザーは選択されているレンズ調整機構の情報を認識することができる。
【０００８】
［適用例２］上記適用例に係るプロジェクターにおいて、前記レンズ調整機構は、焦点調整のためのフォーカス調整機構、または、投写画角を調整するズーム調整機構、または、前記投写レンズを移動させることによって画像の投写位置を調整するレンズシフト調整機構のうちの少なくとも１つを含むことを特徴とする。
【０００９】
このようなプロジェクターによれば、レンズ調整機構は、フォーカス調整機構、または、ズーム調整機構、または、レンズシフト調整機構のうちの少なくとも１つを含む。これにより、投写されている画像の視認が困難な場合でも、表示部にレンズ調整機構の情報が表示されるため、ユーザーは選択されているレンズ調整機構の情報を認識することができる。
【００１０】
［適用例３］上記適用例に係るプロジェクターにおいて、前記表示部に表示させる前記レンズ調整機構の情報は、前記レンズ調整機構の種別の情報であることを特徴とする。
【００１１】
このようなプロジェクターによれば、表示部は、レンズ調整機構の種別の情報を表示する。これにより、投写されている画像の視認が困難な場合でも、表示部にレンズ調整機構の種別の情報が表示されるため、ユーザーは選択されているレンズ調整機構を認識することができる。
【００１２】
［適用例４］上記適用例に係るプロジェクターにおいて、前記表示部に表示させる前記レンズ調整機構の情報は、前記レンズ調整機構の調整量の情報であることを特徴とする。
【００１３】
このようなプロジェクターによれば、表示部は、レンズ調整機構の調整量の情報を表示する。これにより、投写されている画像の視認が困難な場合でも、表示部にレンズ調整機構の調整量の情報が表示されるため、ユーザーは選択されているレンズ調整機構の調整状況を認識し、レンズ調整機構を調整することができる。
【００１４】
［適用例５］本適用例に係るプロジェクターの制御方法は、光源と、前記光源から射出された光を、画像情報に応じて画像光に変調する光変調装置と、前記光変調装置で変調された前記画像光を投写する投写レンズと、前記投写レンズに対して複数の調整を行う複数のレンズ調整機構と、を備えるプロジェクターの制御方法であって、前記プロジェクターは、前記プロジェクターの本体に備わる表示部を備え、前記複数のレンズ調整機構のうちの１つを選択させる選択ステップと、前記選択ステップによって選択された前記レンズ調整機構の情報を前記表示部に表示させる制御ステップと、を備えることを特徴とする。
【００１５】
このようなプロジェクターの制御方法によれば、投写されている画像の視認が困難な場合でも、表示部にレンズ調整機構の情報が表示されるため、ユーザーは選択されているレンズ調整機構の情報を認識することができる。
【００１６】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１７】
【図１】実施形態のプロジェクターの斜視図であり、（ａ）は、前方から見た斜視図、（ｂ）は、後方から見た斜視図。
【図２】本実施形態に係るプロジェクターの概略構成を示すブロック図。
【図３】筐体の背面の一部を表す説明図。
【図４】実施形態に係るプロジェクターのレンズ調整処理のフローチャート。
【図５】表示部のレンズ調整画面の説明図であり、（ａ）は、フォーカス調整画面の説明図、（ｂ）は、ズーム調整画面の説明図、（ｃ）は、レンズシフト調整画面の説明図。
【発明を実施するための形態】
【００１８】
（実施形態）
以下、実施形態として、レンズ調整機構を有するプロジェクターについて説明する。
【００１９】
図１は、本実施形態のプロジェクターの斜視図であり、（ａ）は、前方から見た斜視図であり、（ｂ）は、後方から見た斜視図である。
図１（ａ）に示すように、プロジェクター１は、装置本体を収容する筐体５を備えて構成されており、筐体５の前面５ｆには、投写レンズ１３が露出されており、この投写レンズ１３から、画像情報に基づく画像が前方の投写面（図１では図示せず）に投写される。
【００２０】
筐体５の側面５ｓには、画像情報が入力される画像情報入力部３０が備えられている。画像情報入力部３０には、入力端子３０ａが複数備えられている。
【００２１】
筐体５の背面５ｒには、情報を表示する表示部２８、および、ユーザーにより入力操作が行われる操作パネル２１が備えられている。
【００２２】
図２は、本実施形態に係るプロジェクター１の概略構成を示すブロック図である。図２を使用して、プロジェクター１の内部構成について説明する。
【００２３】
プロジェクター１は、画像投写部１０、制御部２０、操作受付部としての操作パネル２１、光源制御部２２、フォーカス制御部２３、ズーム制御部２４、レンズシフト制御部２５、調整量記憶部２６、表示制御部２７、表示部２８、画像情報入力部３０、画像処理部３１、ＯＳＤ処理部３２等を備えている。これらの構成部は、筐体５（図１参照）に収容、または、配置されている。
【００２４】
画像投写部１０は、光源としての光源装置１１、光変調装置としての３つの液晶ライトバルブ１２Ｒ，１２Ｇ，１２Ｂ、投写レンズ１３、液晶駆動部１４、フォーカス調整機構１３１、ズーム調整機構１３２、レンズシフト調整機構１３３等で構成されている。
【００２５】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等の投写面に拡大投写される。
【００２７】
投写レンズ１３は、フォーカスレンズ１３ａを有しており、フォーカスレンズ１３ａの位置を移動することで焦点調整（フォーカス調整）を可能としている。また、投写レンズ１３は、ズームレンズ１３ｂを有しており、ズーム状態を変更することで投写画角の調整（ズーム調整）を可能としている。
【００２８】
フォーカス調整機構１３１は、モーターおよびギヤ等（いずれも図示せず）により構成され、フォーカス制御部２３による制御に基づいて、フォーカスレンズ１３ａを駆動（移動）し、フォーカス調整を行う。また、フォーカス調整機構１３１は、フォーカスレンズ１３ａの位置をフォーカス量として検出する。そして、検出結果であるフォーカス量をフォーカス制御部２３に出力する。本実施形態では、フォーカス量を検出する方法としては、フォーカスレンズ１３ａの変化量をエンコーダー等（図示せず）によって検出する。なお、フォーカス量を検出する他の方法としては、フォーカス調整機構１３１のモーターをステッピングモーターとし、そのステッピングモーターのステップ数に基づいて検出するようにしてもよい。
【００２９】
ズーム調整機構１３２は、モーターおよびギヤ等（いずれも図示せず）により構成され、ズーム制御部２４による制御に基づいて、ズームレンズ１３ｂを駆動（移動）し、ズーム調整を行う。また、ズーム調整機構１３２は、ズームレンズ１３ｂのズーム状態をズーム量として検出する。そして、検出結果であるズーム量をズーム制御部２４に出力する。本実施形態では、ズーム量を検出する方法としては、ズームレンズ１３ｂの変化量をエンコーダー等（図示せず）によって検出する。なお、ズーム量を検出する他の方法としては、ズーム調整機構１３２のモーターをステッピングモーターとし、そのステッピングモーターのステップ数に基づいて検出するようにしてもよい。
【００３０】
レンズシフト調整機構１３３は、投写レンズ１３を移動させるモーターおよびギヤ等（いずれも図示せず）により構成され、レンズシフト制御部２５による制御に基づいて、投写レンズ１３を投写方向に対して上下方向または左右方向に移動させ、これにより投写画像の投写位置を上下または左右に移動させる。また、レンズシフト調整機構１３３は、投写レンズ１３のレンズシフト状態をレンズシフト量として検出する。そして、検出結果であるレンズシフト量をレンズシフト制御部２５に出力する。本実施形態では、レンズシフト量を検出する方法としては、投写レンズ１３の位置変化量をエンコーダー等（図示せず）によって検出する。なお、レンズシフト量を検出する他の方法としては、レンズシフト調整機構１３３のモーターをステッピングモーターとし、そのステッピングモーターのステップ数に基づいて検出するようにしてもよい。
【００３１】
上述したフォーカス調整機構１３１、ズーム調整機構１３２、およびレンズシフト調整機構１３３がレンズ調整機構に相当する。
【００３２】
制御部２０は、ＣＰＵ（Central Processing Unit）、各種データの一時記憶等に用いられるＲＡＭ、不揮発性のメモリーであるＲＯＭ（いずれも図示せず）等を備え、ＲＯＭに記憶されている制御プログラムに従ってＣＰＵが動作することにより、プロジェクター１の動作を統括制御する。
【００３３】
操作パネル２１は、プロジェクター１の筐体５の背面５ｒに備えられており、プロジェクター１に対して各種指示を行うための複数の操作キー（操作ボタン）等を備えている。
【００３４】
ここで、操作パネル２１について説明する。
図３は、筐体５の背面５ｒの一部を表す説明図である。
図３に示すように、筐体５の背面５ｒには、表示部２８および操作パネル２１が備えられている。表示部２８は、液晶ディスプレイ等で構成されている。
【００３５】
操作パネル２１が備える操作キーとしては、電源のオン／オフを行うための電源キーＢ０や、入力された画像情報を切り換えるための入力切換キーＢ１、各種設定を行うためのメニュー画面の表示／非表示を切り換えるメニューキーＢ２、フォーカス調整を開始するためのフォーカス調整開始キーＢ３、ズーム調整を開始するためのズーム調整開始キーＢ４、レンズシフト調整を開始するためのレンズシフト調整開始キーＢ５、メニュー画面におけるカーソルの移動や各レンズ調整状態における調整値の変更等に用いられるカーソルキーＢ６、各種設定を決定するための決定キーＢ７等がある。ユーザーが操作パネル２１を操作すると、操作パネル２１は、ユーザーの操作内容に応じた制御情報を制御部２０に出力する。
【００３６】
なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。レンズ調整機構を選択させるフォーカス調整開始キーＢ３、ズーム調整開始キーＢ４、およびレンズシフト調整開始キーＢ５が選択部に相当する。
【００３７】
図２に戻り、光源制御部２２は、制御部２０の指示に基づいて、光源装置１１に対する電力の供給と停止とを制御し、光源装置１１の点灯および消灯を切り換える。
【００３８】
フォーカス制御部２３は、制御部２０の指示に基づいて、フォーカス調整機構１３１を制御してフォーカスレンズ１３ａを移動させ、フォーカス調整を行う。また、フォーカス制御部２３は、フォーカス調整機構１３１からフォーカス量を入力し、制御部２０に出力する。
【００３９】
ズーム制御部２４は、制御部２０の指示に基づいて、ズーム調整機構１３２を制御してズームレンズ１３ｂを移動させ、ズーム調整を行う。また、ズーム制御部２４は、ズーム調整機構１３２からズーム量を入力し、制御部２０に出力する。
【００４０】
レンズシフト制御部２５は、制御部２０の指示に基づいて、レンズシフト調整機構１３３を制御して投写レンズ１３を移動させ、レンズシフト調整を行う。また、レンズシフト制御部２５は、レンズシフト調整機構１３３からレンズシフト量を入力し、制御部２０に出力する。
【００４１】
調整量記憶部２６は、不揮発性のメモリーからなり、レンズ調整機構のフォーカス量、ズーム量、およびレンズシフト量といった調整量（以降、「調整値」とも呼ぶ。）を記憶する。調整量記憶部２６に対するフォーカス量、ズーム量、およびレンズシフト量の書き込みは、制御部２０が行う。また、記憶されたフォーカス量、ズーム量、およびレンズシフト量は、制御部２０によって読み出される。制御部２０は、フォーカス量、ズーム量、およびレンズシフト量を、プロジェクター１の電源オン時に読み出し、フォーカス制御部２３、ズーム制御部２４、レンズシフト制御部２５に出力して、各レンズ調整機構を制御させて、調整量記憶部２６に記憶されたレンズ調整機構の状態に設定することが可能である。
【００４２】
表示制御部２７は、表示部２８に対する画像表示を制御する。表示制御部２７は、図示しないＶＲＡＭ（Video RAM）を備えており、制御部２０の指示に基づいて、ＶＲＡＭ上に画面単位で、レンズ調整機構の情報（レンズ調整状況）等の画像データを生成し、生成した画像データを表示部２８に出力して、画像データに基づく画像を表示部２８に表示させる。なお、プロジェクター１が入力画像に基づく画像を投写している通常の状態（レンズ調整機構を調整していない状態）では、表示制御部２７は、入力画像の画像信号名等の情報を表示部２８に表示させている。
【００４３】
表示部２８は、例えば、液晶ディスプレイによって構成され、表示制御部２７から入力される画像データに応じた画像を表示する。なお、本実施形態では、表示部２８を駆動する表示駆動部（図示せず）は、表示部２８に内蔵されているものとする。なお、表示部２８は液晶ディスプレイに限定するものではなく、他の表示装置によって構成されてもよい。
【００４４】
画像情報入力部３０は、複数の入力端子３０ａを備えており、パーソナルコンピューターやビデオ再生装置、メモリーカード、ＵＳＢストレージ、デジタルカメラ等、外部の画像供給装置（図示せず）から各種形式の画像情報（画像信号）が入力される。画像情報入力部３０は、制御部２０からの指示に基づいて画像情報を選択し、入力される画像情報を、画像処理部３１で処理可能な形式の画像データに変換して、画像処理部３１に出力する。
【００４５】
画像処理部３１は、制御部２０の指示に基づいて、画像情報入力部３０から入力される画像データに対して、明るさ、コントラスト、シャープネス、色合い等の調整や、ガンマ補正等の各種画質調整を施す。画像処理部３１は、このような調整および処理を行った画像データをＯＳＤ処理部３２に出力する。
【００４６】
ＯＳＤ処理部３２は、制御部２０の指示に基づいて、メニュー画面やメッセージ画面等のＯＳＤ（オンスクリーンディスプレイ）画像を、画像処理部３１から入力される画像データに重畳する処理を行う。ＯＳＤ処理部３２は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３２は、必要なＯＳＤ画像データをＯＳＤメモリーから読み出し、入力画像の所定の位置にＯＳＤ画像が重畳されるように、画像処理部３１から入力される画像データにこのＯＳＤ画像データを合成する。ＯＳＤ画像データが合成された画像データは、液晶駆動部１４に出力される。なお、制御部２０からＯＳＤ画像を重畳する旨の指示がない場合には、ＯＳＤ処理部３２は、画像処理部３１から出力される画像データを、そのまま液晶駆動部１４に出力する。
【００４７】
液晶駆動部１４が、ＯＳＤ処理部３２から入力される画像データに従って液晶ライトバルブ１２Ｒ，１２Ｇ，１２Ｂを駆動すると、液晶ライトバルブ１２Ｒ，１２Ｇ，１２Ｂは、光源装置１１から入射する光を、画像データに応じて画像光に変調し、この画像光が投写レンズ１３から投写される。
【００４８】
次に、プロジェクター１が、レンズ調整操作を受け付けた際に行う処理について、フローチャートを用いて説明する。
図４は、本実施形態に係るプロジェクター１のレンズ調整処理のフローチャートである。
【００４９】
プロジェクター１が起動して投写している状態において、操作パネル２１によって、フォーカス調整操作、ズーム調整操作、またはレンズシフト調整操作が行われると、制御部２０は、当該調整操作を取得する（ステップＳ１０１）。制御部２０は、ＯＳＤ処理部３２に指示を出して、調整操作に基づき、調整機構のレンズ調整状況を入力画像に重畳して投写表示させる（ステップＳ１０２）。さらに、制御部２０は、表示制御部２７に指示を出して、表示部２８に、調整操作に基づく調整機構のレンズ調整状況を表示させる（ステップＳ１０３）。
【００５０】
ここで、表示部２８のレンズ調整画面について説明する。
図５は、表示部２８のレンズ調整画面であり、（ａ）は、フォーカス調整画面の説明図であり、（ｂ）は、ズーム調整画面の説明図であり、（ｃ）は、レンズシフト調整画面の説明図である。
【００５１】
図５（ａ）に示すように、フォーカス調整画面Ｇ１では、表示部２８には、フォーカス調整であることを示す「Ｆｏｃｕｓ  ｓｅｔｔｉｎｇ」の文字列と、調整値である「＋１０」という文字列が表示される。また、図５（ｂ）に示すように、ズーム調整画面Ｇ２では、表示部２８には、ズーム調整であることを示す「Ｚｏｏｍ  ｓｅｔｔｉｎｇ」の文字列と、ワイド端（Ｗ）とテレ端（Ｔ）の間における調整位置（＋）を表す図が表示される。図５（ｃ）に示すように、レンズシフト調整画面Ｇ３では、表示部２８には、レンズシフト調整であることを示す「Ｌｅｎｓ  Ｓｈｉｆｔ  ｓｅｔｔｉｎｇ」の文字列と、調整値である「Ｈ  ＋２」という文字列が表示される。ここで、「Ｈ」は、水平方向を表している。
【００５２】
図４に戻り、制御部２０は、調整操作に基づき、調整操作がなされた調整機構の制御部（フォーカス制御部２３、またはズーム制御部２４、またはレンズシフト制御部２５）に指示を出し、レンズ調整動作を行わせる（ステップＳ１０４）。次に、制御部２０は、調整操作の終了操作がなされたか否かを判定する（ステップＳ１０５）。調整操作の終了操作がなされていなければ（ステップＳ１０５：ＮＯ）、ステップＳ１０１に移行して、調整操作に基づいた表示とレンズ調整動作を行う。
【００５３】
調整操作の終了操作がなされていれば（ステップＳ１０５：ＹＥＳ）、制御部２０は、ＯＳＤ処理部３２に指示を出して、ＯＳＤによるレンズ調整表示を終了する（ステップＳ１０６）。そして、制御部２０は、表示制御部２７に指示を出して、表示部２８のレンズ調整表示を終了させ、レンズ調整処理の前の表示状態に戻す（ステップＳ１０７）。そして、プロジェクター１のレンズ調整処理を終了する。なお、調整操作の終了操作とは、例えば、決定キーＢ７の押下等である。
【００５４】
上述した実施形態によれば、以下の効果が得られる。
（１）プロジェクター１は、光源装置１１から射出された光を変調して投写する投写レンズ１３の他に、プロジェクター１の本体に表示部２８を備える。プロジェクター１は、投写レンズ１３に対して調整を行うレンズ調整機構として、フォーカス調整機構１３１、ズーム調整機構１３２、レンズシフト調整機構１３３を備えている。操作パネル２１に備わるフォーカス調整開始キーＢ３、ズーム調整開始キーＢ４、またはレンズシフト調整開始キーＢ５が押下されると、制御部２０は、選択されたレンズ調整機構の情報を表示部２８に表示させる。これにより、投写されている画像の視認が困難な場合でも、表示部２８にレンズ調整機構の情報が表示されるため、ユーザーは選択されているレンズ調整機構の情報を認識することができるため、有益である。例えば、投写されている画像のピントが合っていない場合、ズームが大きすぎたり小さすぎたりする場合、レンズシフトが上下左右等の方向にずれ過ぎている場合等のように、投写画像が視認困難な場合でも、ユーザーは、表示部２８でレンズ調整機構の情報を認識することができる。
【００５５】
（２）プロジェクター１の表示部２８は、選択されたレンズ調整機構の種別の情報を表示する。これにより、投写されている画像の視認が困難な場合でも、表示部２８にレンズ調整機構の種別の情報が表示されるため、ユーザーは選択されているレンズ調整機構を認識することができる。そして、自ら選択したレンズ調整機構を調整することができる。
（３）プロジェクター１の表示部２８は、選択されたレンズ調整機構の調整量の情報を表示する。これにより、投写されている画像の視認が困難な場合でも、表示部２８にレンズ調整機構の調整量の情報が表示されるため、ユーザーは選択されているレンズ調整機構の調整状況を認識することができる。つまり、選択したレンズ調整機構を所望の調整値に調整したり、所望の調整方向（プラス側やマイナス側、ワイド側やテレ側、水平方向や垂直方向）に調整したりすることが可能になるため有益である。
【００５６】
なお、上述した実施形態に限定されず、種々の変更や改良等を加えて実施することが可能である。変形例を以下に述べる。
【００５７】
（変形例１）上記実施形態では、フォーカス調整開始キーＢ３の押下、ズーム調整開始キーＢ４の押下、または、レンズシフト調整開始キーＢ５の押下がなされると、それぞれのレンズ調整を開始するものとしたが、メニューキーＢ２が押下され、メニュー画面の選択項目からフォーカス調整開始項目、ズーム調整開始項目、または、レンズシフト調整開始項目が選択された際に、それぞれのレンズ調整を開始してもよい。そして、表示部２８にレンズ調整機構の情報（レンズ調整画面）を表示させてもよい。
【００５８】
（変形例２）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００５９】
（変形例３）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００６０】
１…プロジェクター、５…筐体、５ｆ…前面、５ｒ…背面、５ｓ…側面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１３ａ…フォーカスレンズ、１３ｂ…ズームレンズ、１４…液晶駆動部、２０…制御部、２１…操作パネル、２２…光源制御部、２３…フォーカス制御部、２４…ズーム制御部、２５…レンズシフト制御部、２６…調整量記憶部、２７…表示制御部、２８…表示部、３０…画像情報入力部、３０ａ…入力端子、３１…画像処理部、３２…ＯＳＤ処理部、１３１…フォーカス調整機構、１３２…ズーム調整機構、１３３…レンズシフト調整機構、Ｇ１…フォーカス調整画面、Ｇ２…ズーム調整画面、Ｇ３…レンズシフト調整画面。
【図１】
2015158619.tif 000003
【図２】
2015158619.tif 000004
【図３】
2015158619.tif 000005
【図４】
2015158619.tif 000006
【図５】
2015158619.tif 000007